(57)【要約】  媒体搬送装置は、繰出ベルト（２７）と、原稿台（２）に載置される媒体を繰出ベルト（２７）に吸着させる吸着部（３５）と、媒体が繰り出されるように繰出ベルト（２７）を移動させる駆動部（６１）と、媒体の第１端面に第１風量の空気を吹き付ける第１サイドブロア（２６−１）と、媒体の第２端面に第２風量の空気を吹き付ける第２サイドブロア（２６−２）と、繰出ベルト（２７）のうちの第１端面に近い第１部位に媒体が吸着したか否かを検出する第１センサ（４６−１）と、繰出ベルト（２７）のうちの第２端面に近い第２部位に媒体が吸着したか否かを検出する第２センサ（４６−２）と、第２部位に媒体が吸着し、第１部位に媒体が吸着しないことが検出されたときに、第１風量より大きく、かつ、第２風量より大きい風量の空気が第１端面に吹き付けられるように、第１サイドブロア（２６−１）を制御する制御部（６３）とを備えている。
2020059055.tif 000002
【特許請求の範囲】
【請求項１】
繰出ベルトと、
原稿台に載置される複数の媒体のうちの１つの媒体を前記繰出ベルトに吸着させる吸着部と、
前記媒体が前記繰出ベルトに吸着しているときに、前記媒体が繰り出されるように前記繰出ベルトを移動させる駆動部と、
前記媒体の第１端面に第１風量の空気を吹き付ける第１サイドブロアと、
前記媒体の前記第１端面の反対側に形成される第２端面に第２風量の空気を吹き付ける第２サイドブロアと、
前記繰出ベルトのうちの前記第１端面に近い第１部位に前記媒体が吸着したか否かを検出する第１センサと、
前記繰出ベルトのうちの前記第２端面に近い第２部位に前記媒体が吸着したか否かを検出する第２センサと、
前記第２部位に前記媒体が吸着したことが検出された場合で、前記第１部位に前記媒体が吸着しないことが検出されたときに、前記第１風量より大きく、かつ、前記第２風量より大きい第３風量の空気が前記第１端面に吹き付けられるように、前記第１サイドブロアを制御する制御部
とを備える媒体搬送装置。
【請求項２】
前記制御部は、前記第３風量の空気が前記第１端面に吹き付けられた場合で、前記第１部位に前記媒体が吸着しないことが検出されたときに、前記第３風量より大きい風量の空気が前記第１端面に吹き付けられるように、前記第１サイドブロアを制御する
請求項１に記載の媒体搬送装置。
【請求項３】
前記制御部は、前記第１部位に前記媒体が吸着したことが検出された場合で、前記第２部位に前記媒体が吸着しないことが検出されたときに、前記第１風量より大きく、かつ、前記第２風量より大きい風量の空気が前記第２端面に吹き付けられるように、前記第２サイドブロアを制御する
請求項１に記載の媒体搬送装置。
【請求項４】
前記吸着部は、
前記媒体に接触することにより前記媒体を吸着する吸着パッドと、
前記吸着パッドを移動させるアクチュエータとをさらに備え、
前記制御部は、前記媒体が前記吸着パッドに吸着されていないときに前記吸着パッドが前記媒体に接触するように、および前記媒体が前記吸着パッドに吸着されているときに前記媒体が前記繰出ベルトに接触するように、前記アクチュエータを制御する
請求項１に記載の媒体搬送装置。
【請求項５】
繰出ベルトと、
原稿台に載置される複数の媒体のうちの１つの媒体を前記繰出ベルトに吸着させる吸着部と、
前記媒体が前記繰出ベルトに吸着しているときに、前記媒体が繰り出されるように前記繰出ベルトを移動させる駆動部と、
前記媒体の非綴じ側端面に空気を吹き付ける非綴じ側サイドブロアと、
前記非綴じ側サイドブロアが前記非綴じ側端面に吹き付ける空気の風量より大きい風量の空気を前記媒体の前記非綴じ側端面の反対側に形成される綴じ側端面に吹き付ける綴じ側サイドブロア
とを備える媒体搬送装置。
【発明の詳細な説明】
【技術分野】
【０００１】
本開示の技術は、媒体搬送装置に関する。
【背景技術】
【０００２】
バインダーに綴じられている複数の媒体を、スキャナ装置を用いて電子化することが広く行われている。バインダーに綴じられている媒体の中には、複数枚の紙文書がステープルやクリップで綴じられている綴じ媒体が含まれていることがある。原稿台に載置された複数の綴じ媒体から１つの綴じ媒体を繰り出し、その繰り出された綴じ媒体からステープルを自動的に除去する装置が知られている。また、原稿台に載置された複数の媒体から１つの媒体を繰り出すときに、その繰り出す媒体が適切に浮上するように、複数の媒体の端面に空気を吹き付ける装置が知られている（特許文献１、２参照）。
【先行技術文献】
【特許文献】
【０００３】
【特許文献１】特開２０１６−１３０１５８号公報
【特許文献２】特開２０１７−１３２５５２号公報
【発明の概要】
【発明が解決しようとする課題】
【０００４】
しかしながら、綴じ媒体は、ステープルで綴じられる位置が綴じ媒体ごとに異なり、さらに、ステープルが配置される部分が浮上し難いことにより、適切に繰り出せないことがある。【０００５】
開示の技術は、かかる点に鑑みてなされたものであって、綴じ媒体を適切に繰り出す媒体搬送装置を提供することを目的とする。
【課題を解決するための手段】
【０００６】
開示の態様では、媒体搬送装置は、繰出ベルトと、原稿台に載置される複数の媒体のうちの１つの媒体を前記繰出ベルトに吸着させる吸着部と、前記媒体が前記繰出ベルトに吸着しているときに、前記媒体が繰り出されるように前記繰出ベルトを移動させる駆動部と、前記媒体の第１端面に第１風量の空気を吹き付ける第１サイドブロアと、前記媒体の前記第１端面の反対側に形成される第２端面に第２風量の空気を吹き付ける第２サイドブロアと、前記繰出ベルトのうちの前記第１端面に近い第１部位に前記媒体が吸着したか否かを検出する第１センサと、前記繰出ベルトのうちの前記第２端面に近い第２部位に前記媒体が吸着したか否かを検出する第２センサと、前記第２部位に前記媒体が吸着したことが検出された場合で、前記第１部位に前記媒体が吸着しないことが検出されたときに、前記第１風量より大きく、かつ、前記第２風量より大きい第３風量の空気が前記第１端面に吹き付けられるように、前記第１サイドブロアを制御する制御部とを備えている。
【発明の効果】
【０００７】
開示の媒体搬送装置は、綴じ媒体を適切に繰り出すことができる。
【図面の簡単な説明】
【０００８】
【図１】図１は、実施例１の媒体搬送装置が設けられた画像読取装置を示す概略側面図である。
【図２】図２は、実施例１の媒体搬送装置の第１給紙部を示す斜視図である。
【図３】図３は、実施例１の媒体搬送装置の第１給紙部を示す断面図である。
【図４】図４は、実施例１の媒体搬送装置の第１給紙部を示す下面図である。
【図５】図５は、実施例１の媒体搬送装置の第１給紙部を示す他の断面図である。
【図６】図６は、実施例１の媒体搬送装置の第１給紙部を示す他の下面図である。
【図７】図７は、第１シャッタが第１閉鎖位置に配置され、第２シャッタが第２閉鎖位置に配置されるときの実施例１の媒体搬送装置の第１給紙部を示す下面図である。
【図８】図８は、実施例１の媒体搬送装置が設けられた画像読取装置を示すブロック図である。
【図９】図９は、実施例１の媒体搬送装置の第１給紙部の動作を示すフローチャートである。
【図１０】図１０は、複数の吸着パッドにより綴じ媒体が上昇したときの実施例１の媒体搬送装置の第１給紙部を示す下面図である。
【図１１】図１１は、綴じ部分が第１繰出ベルトに吸着していないときの綴じ媒体を示す断面図である。
【図１２】図１２は、第１風量より大きい第３風量の空気が第１サイドブロアから吹き出されるときの綴じ媒体を示す断面図である。
【図１３】図１３は、第１風量より大きい第３風量の空気が第１サイドブロアから吹き出されてから所定時間経過した後の綴じ媒体を示す断面図である。
【図１４】図１４は、第１サイドブロアから吹きつけられる第１風量と第２サイドブロアから吹きつけられる第２風量が等しいときの綴じ媒体を示す断面図である。
【図１５】図１５は、実施例２の媒体搬送装置の第１給紙部を示す斜視図である。
【図１６】図１６は、実施例２の媒体搬送装置の第１給紙部を示す断面図である。
【図１７】図１７は、実施例３の媒体搬送装置の第１サイドブロアと第２サイドブロアとにより両側の端面に空気が吹き付けられる複数の媒体を示す断面図である。
【発明を実施するための形態】
【０００９】
以下に、本願が開示する実施形態にかかる媒体搬送装置について、図面を参照して説明する。なお、以下の記載により本発明が限定されるものではない。また、以下の記載においては、同一の構成要素に同一の符号を付与し、重複する説明を省略する。
【実施例１】
【００１０】
実施例１の媒体搬送装置は、図１に示されているように、画像読取装置１に利用されている。図１は、実施例１の媒体搬送装置が設けられた画像読取装置１を示す概略側面図である。画像読取装置１は、原稿台２とスタッカー３と搬送路５とを備えている。原稿台２に、媒体が載置される。スタッカー３は、原稿台２より搬送方向６の下流側に配置されている。搬送方向６は、画像読取装置１が設置される設置面に沿う平面に対して概ね平行である。搬送路５は、原稿台２とスタッカー３との間に配置され、原稿台２とスタッカー３とを接続する通路を形成している。搬送路５は、搬送路５に繰り出された媒体が通路に沿って搬送方向６の下流側に搬送されるように、搬送路５に繰り出された媒体を案内する。【００１１】
画像読取装置１は、第１給紙部１１と、処理部１２と、搬送機構１４と、第２給紙部１５と、展開部１６と、排紙部１７と、読取部１８とをさらに備えている。第１給紙部１１は、搬送路５の原稿台２の側の端に配置されている。第１給紙部１１は、原稿台２に媒体が載置されているか否かを検出する。第１給紙部１１は、原稿台２に複数の媒体が載置されているときに、原稿台２に載置される複数の媒体のうちの一番上側に配置される１つの媒体を搬送路５に繰り出し、原稿台２から搬送路５に繰り出された媒体を処理部１２に供給する。第１給紙部１１は、原稿台２に１つの媒体が載置されているときに、その媒体を搬送路５に繰り出し、原稿台２から搬送路５に繰り出された媒体を処理部１２に供給する。【００１２】
処理部１２は、搬送路５の第１給紙部１１の下流側に配置され、すなわち、搬送路５の第１給紙部１１とスタッカー３との間に配置されている。処理部１２は、第１給紙部１１から供給された媒体が一枚媒体であるか綴じ媒体であるかを検出する。一枚媒体は、１枚の用紙から形成されている。綴じ媒体は、複数の用紙が綴じ部材により綴じられることにより形成される。綴じ部材としては、ステープルが例示される。【００１３】
処理部１２は、第１給紙部１１から供給された媒体が一枚媒体であることを検出したときに、その一枚媒体をそのまま搬送機構１４に供給し、第１給紙部１１から供給された媒体が綴じ媒体であることを検出したときに、綴じ媒体から綴じ部材を除去することにより複数の一枚媒体を生成し、その生成された複数の一枚媒体を搬送機構１４に供給する。【００１４】
搬送機構１４は、搬送路５の処理部１２の下流側に配置され、すなわち、搬送路５の処理部１２とスタッカー３との間に配置されている。搬送機構１４は、処理部１２から供給された媒体を第２給紙部１５に供給する。【００１５】
第２給紙部１５は、搬送路５の搬送機構１４の下流側に配置され、すなわち、搬送路５の搬送機構１４とスタッカー３との間に配置されている。第２給紙部１５は、搬送機構１４から供給された媒体を読取部１８に供給する。【００１６】
展開部１６は、搬送路５の搬送機構１４と第２給紙部１５との間に配置されている。展開部１６は、搬送機構１４と第２給紙部１５との間を搬送される媒体がＺ折り媒体であるときに、そのＺ折り媒体を概ね平坦に展開する。【００１７】
排紙部１７は、搬送路５のスタッカー３の側の端に配置され、すなわち、搬送路５の第２給紙部１５の下流側に配置されている。排紙部１７は、第２給紙部１５から供給される媒体をスタッカー３に載置する。【００１８】
読取部１８は、搬送路５の第２給紙部１５と排紙部１７との間に配置されている。読取部１８は、搬送路５の第２給紙部１５と排紙部１７との間を搬送される媒体の両面の画像を読み取る。【００１９】
図２は、実施例１の媒体搬送装置の第１給紙部１１を示す斜視図である。第１給紙部１１は、原稿台駆動部２５と、第１サイドブロア２６−１と、第２サイドブロア２６−２と、複数の繰出ベルト２７とを備えている。原稿台駆動部２５は、原稿台２の下部に配置され、原稿台２を上下方向２８に平行に昇降させる。上下方向２８は、画像読取装置１が設置される設置面に沿う平面に対して垂直である。【００２０】
第１サイドブロア２６−１は、原稿台２の幅方向２９の一方の側に配置されている。幅方向２９は、画像読取装置１の設置面に沿う平面に対して平行であり、かつ、搬送方向６に対して垂直である。第１サイドブロア２６−１は、原稿台２に載置される媒体の幅方向２９の一方の側の端面に空気を吹き付ける。第１サイドブロア２６−１は、第１風量モード、第３風量モード、および第５風量モードのうちの１つのモードに切り替えられる。第３風量は、第１風量より大きく、第５風量は、第３風量より大きい。【００２１】
第２サイドブロア２６−２は、原稿台２の幅方向２９の他方の側に配置されている。第２サイドブロア２６−２は、原稿台２に載置される媒体の幅方向２９の他方の側の端面に空気を吹き付ける。第２サイドブロア２６−２は、第２風量モード、第４風量モード、および第６風量モードのうちの１つのモードに切り替えられる。第２風量は、第１風量と概ね等しい。第４風量は、第２風量より大きく、第６風量は、第４風量より大きい。【００２２】
複数の繰出ベルト２７は、それぞれ、可撓性を有する材料から形成され、ループ状の帯に形成されている。複数の繰出ベルト２７は、原稿台２の上下方向２８の上側に配置されている。【００２３】
図３は、実施例１の媒体搬送装置の第１給紙部１１を示す断面図である。第１給紙部１１は、分離ブロア３０と、複数の定滑車３１と、複数の吸着パッド３２と、吸着パッド駆動部３３と、複数の吸着パッドブロア３４と、搬送ブロア３５とをさらに備えている。分離ブロア３０は、原稿台２の搬送方向６の下流側に配置されている。分離ブロア３０は、原稿台２の搬送方向６の下流側に配置され、原稿台２に載置される媒体の搬送方向６の下流側の端面に空気を吹き付ける。【００２４】
複数の繰出ベルト２７は、それぞれ、移動可能に、複数の定滑車３１に架け渡されており、それによって下側部分３６が形成されている。下側部分３６は、複数の繰出ベルト２７に囲まれる領域３７と、複数の繰出ベルト２７と原稿台２との間の空間３８とを隔てている。【００２５】
複数の吸着パッド３２は、それぞれ、上下方向２８に昇降可能に搬送路５に支持されている。吸着パッド駆動部３３は、アクチュエータから形成され、複数の吸着パッド３２を上下方向２８に昇降させる。複数の吸着パッドブロア３４は、複数の吸着パッド３２にそれぞれ接続されている。搬送ブロア３５は、複数の繰出ベルト２７に囲まれる領域３７に配置されている。【００２６】
図４は、実施例１の媒体搬送装置の第１給紙部１１を示す下面図である。複数の繰出ベルト２７は、第１繰出ベルト４１−１と、第２繰出ベルト４１−２と、複数の中央繰出ベルト４２とを含んでいる。第１繰出ベルト４１−１は、第１サイドブロア２６−１に近い側に配置されており、複数の第１ベルト吸気口４３−１を有する。第２繰出ベルト４１−２は、第２サイドブロア２６−２に近い側に配置されており、複数の第２ベルト吸気口４３−２を有する。複数の中央繰出ベルト４２は、第１繰出ベルト４１−１と第２繰出ベルト４１−２との間に配置されている。【００２７】
複数の吸着パッド３２は、第１吸着パッド４４−１と第２吸着パッド４４−２とを含んでいる。第１吸着パッド４４−１は、第１繰出ベルト４１−１と複数の中央繰出ベルト４２との間に配置され、第１パッド吸気口４５−１を有する。第２吸着パッド４４−２は、第２繰出ベルト４１−２と複数の中央繰出ベルト４２との間に配置され、第２パッド吸気口４５−２を有する。複数の吸着パッドブロア３４は、複数の吸着パッド３２に接続されており、第１パッド吸気口４５−１および第２パッド吸気口４５−２を介して空気を吸引する。【００２８】
第１給紙部１１は、第１吸着検出センサ４６−１と、第２吸着検出センサ４６−２と、用紙検出センサ４７とを備えている。第１吸着検出センサ４６−１は、領域３７の第１繰出ベルト４１−１の下側部分３６の近傍に配置され、第１繰出ベルト４１−１の下側部分３６に媒体が吸着しているか否かを検出する。第２吸着検出センサ４６−２は、領域３７の第２繰出ベルト４１−２の下側部分３６の近傍に配置され、第２繰出ベルト４１−２の下側部分３６に媒体が吸着しているか否かを検出する。【００２９】
用紙検出センサ４７は、搬送路５の上部の複数の中央繰出ベルト４２より搬送方向６の下流側に配置され、搬送路５の複数の中央繰出ベルト４２より搬送方向６の下流側の所定の位置に媒体が配置されているか否かを検出する。処理部１２は、所定の位置に配置されている媒体を搬送することができる。【００３０】
図５は、実施例１の媒体搬送装置の第１給紙部１１を示す他の断面図である。第１給紙部１１は、上側搬送ガイド５１と複数のシャッタ５２とをさらに備えている。上側搬送ガイド５１は、平坦な板状に形成されている。上側搬送ガイド５１は、複数の繰出ベルト２７の下側部分３６に沿うように領域３７に配置され、搬送路５に対して固定されている。複数のシャッタ５２は、それぞれ、平坦な板状に形成されている。複数のシャッタ５２は、それぞれ、複数の繰出ベルト２７の下側部分３６に沿うように、下側部分３６と上側搬送ガイド５１との間に配置されている。複数のシャッタ５２は、さらに、幅方向２９に平行に並進可能に支持されている。【００３１】
図６は、実施例１の媒体搬送装置の第１給紙部１１を示す他の下面図である。複数のシャッタ５２は、第１シャッタ５３−１と第２シャッタ５３−２とを含んでいる。第１シャッタ５３−１は、第１吸着パッド４４−１より搬送方向６の下流側に配置され、複数の第１ガイド吸気口連通孔５４−１と複数の第１ベルト吸気口連通孔５５−１とを有する。第１シャッタ５３−１は、第１開放位置または第１閉鎖位置に配置されるように、搬送路５に対して並進可能に支持されている。第２シャッタ５３−２は、第２吸着パッド４４−２より搬送方向６の下流側に配置され、複数の第２ガイド吸気口連通孔５４−２と複数の第２ベルト吸気口連通孔５５−２とを有する。第２シャッタ５３−２は、第２開放位置または第２閉鎖位置に配置されるように、搬送路５に対して並進可能に支持されている。【００３２】
上側搬送ガイド５１は、複数の第１ガイド吸気口５６−１と複数の第２ガイド吸気口５６−２とを有する。複数の第１ガイド吸気口５６−１は、上側搬送ガイド５１の第１シャッタ５３−１に重なる部分であり、かつ、複数の繰出ベルト２７の下側部分３６に重ならない部分に配置されている。複数の第２ガイド吸気口５６−２は、上側搬送ガイド５１の第２シャッタ５３−２に重なる部分であり、かつ、複数の繰出ベルト２７の下側部分３６に重ならない部分に配置されている。上側搬送ガイド５１は、図示されていない第１ベルト連通孔と第２ベルト連通孔とをさらに有する。第１ベルト連通孔は、複数の第１ベルト吸気口４３−１の下側部分３６に形成される第１ベルト吸気口に連通する。第２ベルト連通孔は、複数の第２ベルト吸気口４３−２の下側部分３６に形成される第２ベルト吸気口に連通する。【００３３】
複数の第１ガイド吸気口５６−１は、第１シャッタ５３−１が第１開放位置に配置されるときに、複数の第１ガイド吸気口連通孔５４−１に連通し、開放される。複数の第１ベルト吸気口４３−１の下側部分３６に形成される第１ベルト吸気口は、第１シャッタ５３−１が第１開放位置に配置されるときに、複数の第１ベルト吸気口連通孔５５−１に連通し、開放される。複数の第２ガイド吸気口５６−２は、第２シャッタ５３−２が第２開放位置に配置されるときに、複数の第２ガイド吸気口連通孔５４−２に連通し、開放される。複数の第２ベルト吸気口４３−２の下側部分３６に形成される第２ベルト吸気口は、第２シャッタ５３−２が第２開放位置に配置されるときに、複数の第２ベルト吸気口連通孔５５−２に連通し、開放される。このとき、搬送ブロア３５は、複数の第１ガイド吸気口５６−１、複数の第２ガイド吸気口５６−２、複数の第１ベルト吸気口４３−１、および複数の第２ベルト吸気口４３−２を介して空間３８から空気を吸引する。【００３４】
図７は、第１シャッタ５３−１が第１閉鎖位置に配置され、第２シャッタ５３−２が第２閉鎖位置に配置されるときの実施例１の媒体搬送装置の第１給紙部１１を示す下面図である。複数の第１ガイド吸気口５６−１は、第１シャッタ５３−１が第１閉鎖位置に配置されるときに、第１シャッタ５３−１の複数の第１ガイド吸気口連通孔５４−１が形成されていない部分に重なり、閉鎖される。複数の第１ベルト吸気口４３−１の下側部分３６に形成される第１ベルト吸気口は、第１シャッタ５３−１が第１閉鎖位置に配置されるときに、第１シャッタ５３−１のうちの複数の第１ベルト吸気口連通孔５５−１以外の部分に重なり、閉鎖される。複数の第２ガイド吸気口５６−２は、第２シャッタ５３−２が第２閉鎖位置に配置されるときに、第２シャッタ５３−２のうちの複数の第２ガイド吸気口連通孔５４−２が形成されていない部分に重なり、閉鎖される。複数の第２ベルト吸気口４３−２の下側部分３６に形成される第２ベルト吸気口は、第２シャッタ５３−２が第２閉鎖位置に配置されるときに、第２シャッタ５３−２のうちの複数の第２ベルト吸気口連通孔５５−２以外の部分に重なり、閉鎖される。このとき、空間３８は、搬送ブロア３５が起動している場合でも、複数の第１ガイド吸気口５６−１、複数の第２ガイド吸気口５６−２、複数の第１ベルト吸気口４３−１、および複数の第２ベルト吸気口４３−２を介して空気が吸引されない。【００３５】
画像読取装置１は、図８に示されているように、ベルト駆動部６１と、シャッタ駆動部６２と、制御装置６３とをさらに備えている。図８は、実施例１の媒体搬送装置が設けられた画像読取装置１を示すブロック図である。制御装置６３は、ベルト駆動部６１を制御することにより、複数の繰出ベルト２７が移動するように、複数の定滑車３１を回転させる。制御装置６３は、シャッタ駆動部６２を制御することにより、第１シャッタ５３−１および第２シャッタ５３−２を移動させる。【００３６】
制御装置６３は、コンピュータであり、ＣＰＵ（Ｃｅｎｔｒａｌ  Ｐｒｏｃｅｓｓｉｎｇ  Ｕｎｉｔ）６４と、記憶装置６５と、入出力装置６６と、通信インターフェイス６７と、メディアインターフェイス６８とを備えている。ＣＰＵ６４は、制御装置６３にインストールされるコンピュータプログラムを実行することにより、情報処理し、記憶装置６５と、入出力装置６６と、通信インターフェイス６７と、メディアインターフェイス６８とを制御する。ＣＰＵ６４は、制御装置６３にインストールされるコンピュータプログラムを実行することにより、さらに、画像読取装置１に設けられる各要素を制御する。記憶装置６５としては、ＲＡＭ・ＲＯＭ等のメモリ、ハードディスクのような固定ディスク装置、ＳＳＤ（Ｓｏｌｉｄ  Ｓｔａｔｅ  Ｄｒｉｖｅ）が例示される。記憶装置６５は、制御装置６３にインストールされるコンピュータプログラムを記録し、ＣＰＵ６４により利用される情報を記録する。入出力装置６６は、ユーザに操作されることにより生成される情報をＣＰＵ６４に出力し、ＣＰＵ６４により生成された情報をユーザが認識することができるように出力する。【００３７】
ＣＰＵ６４は、通信インターフェイス６７を制御することにより、通信回線を介して接続される他のコンピュータから情報を制御装置６３にダウンロードしたり、制御装置６３から他のコンピュータに情報を送信したりする。メディアインターフェイス６８は、一時的でない有形の記録媒体６９を装填可能に形成されている。記録媒体６９としては、半導体メモリ、磁気ディスク、光磁気ディスク、光ディスクが例示される。ＣＰＵ６４は、記録媒体６９が装填されているときに、メディアインターフェイス６８を制御することにより、記録媒体６９から情報を読み取ったり、記録媒体６９に情報を記録したりする。なお、制御装置６３にインストールされるコンピュータプログラムは、通信インターフェイス６７を介して他のコンピュータからダウンロードされたものでもよく、メディアインターフェイス６８を介して記録媒体６９から読み取られたものでもよい。【００３８】
［画像読取装置１の動作］
ユーザは、画像読取装置１を用いて複数の媒体から画像を読み取ろうとするときに、複数の媒体を原稿台２に載置し、制御装置６３の入出力装置６６を操作することにより画像読取装置１を起動する。原稿台２に載置される複数の媒体は、一枚媒体または綴じ媒体を含んでいる。一枚媒体は、Ｚ折りされているＺ折り媒体であることがある。制御装置６３は、画像読取装置１が起動すると、第１給紙部１１を制御することにより、原稿台２に媒体が載置されているか否かを検出する。制御装置６３は、原稿台２に媒体が載置されていることを検出したときに、第１給紙部１１を制御することにより、原稿台２に載置される複数の媒体のうちの一番上に配置される１つの媒体を搬送路５に繰り出し、繰り出された媒体を処理部１２に供給する。【００３９】
制御装置６３は、さらに、処理部１２を制御することにより、第１給紙部１１から供給された媒体が綴じ媒体であるか一枚媒体であるかを検出し、第１給紙部１１から供給された媒体が一枚媒体であることを検出したときに、処理部１２を制御することにより、その一枚媒体をそのまま搬送機構１４に供給し、第１給紙部１１から供給された媒体が綴じ媒体であることを検出したときに、処理部１２を制御することにより、綴じ媒体から綴じ部材を除去する。【００４０】
展開部１６は、搬送機構１４と第２給紙部１５との間を搬送される媒体がＺ折りされているときに、その媒体を展開する。すなわち、搬送機構１４から第２給紙部１５に搬送されるＺ折り媒体は、展開部１６を通過することにより展開されて第２給紙部１５に供給される。制御装置６３は、媒体が第２給紙部１５から排紙部１７に供給されるときに、読取部１８を制御することにより、第２給紙部１５から排紙部１７に搬送される媒体の両面の画像を読み取り、読み取った画像を記録する。制御装置６３は、排紙部１７を制御することにより、分離部２２から排紙部１７に供給される媒体をスタッカー３に載置する。【００４１】
制御装置６３は、第１給紙部１１により原稿台２に媒体が載置されていないことが検出されるまで、このような動作を繰り返し実行する。画像読取装置１は、このような動作を実行することにより、原稿台２に媒体が載置される複数の媒体の画像をそれぞれ読み取ることができる。【００４２】
図９は、実施例１の媒体搬送装置の第１給紙部１１の動作を示すフローチャートである。制御装置６３は、画像読取装置１が起動すると、原稿台駆動部２５を制御することにより、原稿台２を上下方向２８の上側に上昇させる（ステップＳ１）。制御装置６３は、画像読取装置１が起動すると、さらに、第１サイドブロア２６−１と、第２サイドブロア２６−２と、搬送ブロア３５とを起動させる（ステップＳ２）。第１サイドブロア２６−１は、起動されると、原稿台２に載置される複数の媒体の第１サイドブロア２６−１に近い側の端面に空気を吹き付ける。第２サイドブロア２６−２は、起動されると、原稿台２に載置される複数の媒体の第２サイドブロア２６−２に近い側の端面に空気を吹き付ける。制御装置６３は、さらに、ベルト駆動部６１を制御することにより、複数の第１ベルト吸気口４３−１を介して第１吸着検出センサ４６−１を空間３８に露出させ、複数の第２ベルト吸気口４３−２を介して第２吸着検出センサ４６−２を空間３８に露出させる。【００４３】
制御装置６３は、シャッタ駆動部６２を制御することにより、第１シャッタ５３−１を第１開放位置に配置し、第２シャッタ５３−２を第２開放位置に配置する。複数の第１ガイド吸気口５６−１および複数の第１ベルト吸気口４３−１は、第１シャッタ５３−１が第１開放位置に配置されることにより、開放される。複数の第２ガイド吸気口５６−２および複数の第２ベルト吸気口４３−２は、第２シャッタ５３−２が第２開放位置に配置されることにより、開放される。搬送ブロア３５は、複数の第１ガイド吸気口５６−１、複数の第１ベルト吸気口４３−１、複数の第２ガイド吸気口５６−２、および複数の第２ベルト吸気口４３−２を介して、空間３８から空気を吸引する（ステップＳ３）。【００４４】
制御装置６３は、さらに、複数の吸着パッドブロア３４を制御することにより、第１吸着パッド４４−１の第１パッド吸気口４５−１および第２吸着パッド４４−２の第２パッド吸気口４５−２を介して空気を吸引する。制御装置６３は、さらに、吸着パッド駆動部３３を制御することにより、複数の吸着パッド３２を下降させ、原稿台２に載置される複数の媒体のうちの一番上に配置される媒体に複数の吸着パッド３２を接触させる。複数の吸着パッド３２に接触した媒体は、複数の吸着パッド３２に吸着される。制御装置６３は、複数の吸着パッド３２が媒体を吸着した後に、吸着パッド駆動部３３を制御することにより、複数の吸着パッド３２を上昇させる。複数の吸着パッド３２に吸着された媒体は、複数の吸着パッド３２が上昇することにより、複数の繰出ベルト２７の下側部分３６に接触する。下側部分３６に接触した媒体は、搬送ブロア３５により複数の繰出ベルト２７の下側部分３６に吸着される。【００４５】
制御装置６３は、複数の吸着パッド３２が上昇した後に、第１吸着検出センサ４６−１を制御することにより、第１繰出ベルト４１−１の下側部分３６に媒体が吸着しているか否かを検出し、第２吸着検出センサ４６−２を制御することにより、第２繰出ベルト４１−２の下側部分３６に媒体が吸着しているか否かを検出する（ステップＳ４）。制御装置６３は、媒体が第１繰出ベルト４１−１と第２繰出ベルト４１−２との両方に吸着していないことを検出したときに（ステップＳ４、Ｎｏ；ステップＳ５、Ｎｏ）、原稿台２に媒体が載置されていなかったものと判断する。【００４６】
制御装置６３は、媒体が第１繰出ベルト４１−１に吸着していないことを検出した場合で、媒体が第２繰出ベルト４１−２に吸着していることを検出したときに（ステップＳ５、Ｙｅｓ）、第１サイドブロア２６−１のモードを検出する。制御装置６３は、第１サイドブロア２６−１が第１風量モードに切り替えられているときに（ステップＳ６、Ｎｏ）、第１サイドブロア２６−１を第３風量モードに切り替え、第１サイドブロア２６−１から第３風量の空気を媒体に吹き付ける（ステップＳ７）。制御装置６３は、第１サイドブロア２６−１が第３風量モードに切り替えられているときに（ステップＳ６、Ｎｏ）、第１サイドブロア２６−１を第５風量モードに切り替え、第１サイドブロア２６−１から第５風量の空気を媒体に吹き付ける（ステップＳ７）。制御装置６３は、第１サイドブロア２６−１が第５風量モードに切り替えられているときに（ステップＳ６、Ｙｅｓ）、入出力装置６６を制御することにより、ユーザにエラーが発生していることを通知する。【００４７】
制御装置６３は、媒体が第２繰出ベルト４１−２に吸着していないことを検出した場合で、媒体が第１繰出ベルト４１−１に吸着していることを検出したときに（ステップＳ５、Ｙｅｓ）、第２サイドブロア２６−２のモードを検出する。制御装置６３は、第２サイドブロア２６−２が第２風量モードに切り替えられているときに（ステップＳ６、Ｎｏ）、第２サイドブロア２６−２を第４風量モードに切り替え、第２サイドブロア２６−２から第４風量の空気を媒体に吹き付ける（ステップＳ７）。制御装置６３は、第２サイドブロア２６−２が第４風量モードに切り替えられているときに（ステップＳ６、Ｎｏ）、第２サイドブロア２６−２を第６風量モードに切り替え、第２サイドブロア２６−２から第６風量の空気を媒体に吹き付ける（ステップＳ７）。制御装置６３は、第２サイドブロア２６−２が第６風量モードに切り替えられているときに（ステップＳ６、Ｙｅｓ）、入出力装置６６を制御することにより、ユーザにエラーが発生していることを通知する。【００４８】
制御装置６３は、ステップＳ７の処理が実行された後に、ステップＳ４以降の処理を繰り返し実行する。制御装置６３は、媒体が第１繰出ベルト４１−１と第２繰出ベルト４１−２との両方に吸着していることを検出したときに（ステップＳ４、Ｙｅｓ）、ベルト駆動部６１を制御することにより、複数の繰出ベルト２７を移動させる（ステップＳ８）。複数の繰出ベルト２７に吸着されている媒体は、複数の繰出ベルト２７が移動することにより、搬送方向６の下流側に搬送される。【００４９】
制御装置６３は、複数の繰出ベルト２７が移動を開始した後に、用紙検出センサ４７を制御することにより、搬送路５の複数の中央繰出ベルト４２より搬送方向６の下流側の所定の位置に媒体が配置されているか否かを検出する（ステップＳ９）。制御装置６３は、複数の繰出ベルト２７が移動してから規定時間経過後までに媒体の先端が所定の位置に到達したことを検出しないときに（ステップＳ９、Ｎｏ）、入出力装置６６を制御することにより、ユーザにエラーが発生していることを通知する。【００５０】
制御装置６３は、媒体の先端が所定の位置に到達したことを検出したときに（ステップＳ９、Ｙｅｓ）、ベルト駆動部６１を制御することにより、複数の繰出ベルト２７の移動を停止させ、シャッタ駆動部６２を制御することにより、第１シャッタ５３−１を第１閉鎖位置に配置し、第２シャッタ５３−２を第２閉鎖位置に配置する（ステップＳ１０）。複数の第１ガイド吸気口５６−１および複数の第１ベルト吸気口４３−１は、第１シャッタ５３−１が第１閉鎖位置に配置されることにより、閉鎖される。複数の第２ガイド吸気口５６−２および複数の第２ベルト吸気口４３−２は、第２シャッタ５３−２が第２閉鎖位置に配置されることにより、閉鎖される。媒体は、複数の第１ガイド吸気口５６−１、複数の第１ベルト吸気口４３−１、複数の第２ガイド吸気口５６−２、および複数の第２ベルト吸気口４３−２が閉鎖されることにより、複数の繰出ベルト２７から解放される。複数の繰出ベルト２７から解放された媒体は、処理部１２により搬送することができるようになる。【００５１】
制御装置６３は、媒体の先端が所定の位置に到達したことを検出したときに、さらに、第１サイドブロア２６−１を第１風量モードに切り替え、第２サイドブロア２６−２を第２風量モードに切り替える（ステップＳ１１）。制御装置６３は、第１サイドブロア２６−１が第１風量モードに切り替えられ、第２サイドブロア２６−２が第２風量モードに切り替えられた後に、ステップＳ３からステップＳ１１の処理を繰り返し実行する。ステップＳ３からステップＳ１１の処理を繰り返し実行することにより、原稿台２に載置される複数の媒体を１つずつ処理部１２に適切に供給することができる。【００５２】
第１給紙部１１は、原稿台２に綴じ媒体５０が載置されているときに、ステップＳ３の処理で、複数の吸着パッド３２を用いて綴じ媒体５０を複数の繰出ベルト２７に向かって上昇させる。図１０は、複数の吸着パッド３２により綴じ媒体５０が上昇したときの実施例１の媒体搬送装置の第１給紙部１１を示す下面図である。綴じ媒体５０は、複数枚の用紙がステープル８１で綴じられることにより形成されている。綴じ媒体５０のステープル８１で綴じられている綴じ部分８２は、第１繰出ベルト４１−１の複数の第１ベルト吸気口４３−１の近傍に配置されている。【００５３】
綴じ部分８２は、ステープル８１で綴じられていることにより、１枚の用紙より重いため、第１サイドブロア２６−１から第１風量の空気が吹き出され、かつ、複数の第１ベルト吸気口４３−１から空気が吸引された場合でも、第１繰出ベルト４１−１に吸着しないことがある。図１１は、綴じ部分８２が第１繰出ベルト４１−１に吸着していないときの綴じ媒体５０を示す断面図である。このとき、綴じ媒体５０のステープル８１で綴じられていない非綴じ部分８３は、第２サイドブロア２６−２から吹き出される第２風量の空気により、綴じ媒体５０を形成する複数の用紙に分離される。綴じ媒体５０のうちの一番上の１枚の用紙８４は、非綴じ部分８３が複数の用紙に分離されることにより、第２繰出ベルト４１−２に吸着される。【００５４】
第１サイドブロア２６−１は、第１吸着検出センサ４６−１により、綴じ媒体５０が第１繰出ベルト４１−１に吸着していないことが検出されたときに、第１風量より大きい第３風量の空気を吹き出す。図１２は、第１風量より大きい第３風量の空気が第１サイドブロア２６−１から吹き出されるときの綴じ媒体５０を示す断面図である。第１サイドブロア２６−１から吹き出される空気は、風量が大きいときに、綴じ部分８２の下に進入することがある。【００５５】
図１３は、第１風量より大きい第３風量の空気が第１サイドブロア２６−１から吹き出されてから所定時間経過した後の綴じ媒体５０を示す断面図である。綴じ媒体５０の綴じ部分８２は、第３風量の空気が第１サイドブロア２６−１から吹き付けられるときに、綴じ部分８２の下に空気が進入することにより上昇し、第１繰出ベルト４１−１に吸着することがある。さらに、第１サイドブロア２６−１から吹き出された第３風量の空気が第２サイドブロア２６−２の第２風量より大きいことにより、第２サイドブロア２６−２により吹き出される空気が複数の用紙の隙間に進入することが防止されて纏まり、複数の繰出ベルト２７の移動により、綴じ媒体５０を適切に繰り出すことができる。【００５６】
図１４は、第３風量の空気が第１サイドブロア２６−１と第２サイドブロア２６−２との両方から吹き出されたときの綴じ媒体５０を示す断面図である。第３風量の空気が第１サイドブロア２６−１と第２サイドブロア２６−２との両方から吹き出されたときに、綴じ媒体５０の非綴じ部分８３を形成する複数の用紙の隙間に空気が進入することがある。複数の用紙の隙間に空気が進入することにより、綴じ媒体５０の非綴じ部分８３の複数の用紙が分離する。非綴じ部分８３の複数の用紙が分離することにより、複数の繰出ベルト２７の移動により綴じ媒体５０を適切に繰り出せないことがある。【００５７】
第１給紙部１１は、綴じ媒体５０を複数の繰出ベルト２７に吸着させるときに、綴じ部分８２に吹き付ける空気の風量を非綴じ部分８３に吹き付ける空気の風量より大きくすることにより、綴じ媒体５０を複数の繰出ベルト２７に適切に吸着させることができる。第１給紙部１１は、綴じ媒体５０を複数の繰出ベルト２７に適切に吸着させることにより、綴じ媒体５０を適切に繰り出すことができる。【００５８】
［実施例１の媒体搬送装置の効果］
実施例１の媒体搬送装置は、複数の繰出ベルト２７と、搬送ブロア３５と、ベルト駆動部６１と、第１サイドブロア２６−１と、第２サイドブロア２６−２と、第１吸着検出センサ４６−１と、第２吸着検出センサ４６−２と、制御部とを備えている。搬送ブロア３５は、原稿台２に載置される複数の媒体のうちの１つの媒体を複数の繰出ベルト２７に吸着させる。ベルト駆動部６１は、媒体が複数の繰出ベルト２７に吸着しているときに、媒体が繰り出されるように複数の繰出ベルト２７を移動させる。第１サイドブロア２６−１は、媒体の第１端面に空気を吹き付ける。第２サイドブロア２６−２は、媒体の第１端面の反対側に形成される第２端面に空気を吹き付ける。第１吸着検出センサ４６−１は、複数の繰出ベルト２７のうちの第１端面に近い第１繰出ベルト４１−１に媒体が吸着したか否かを検出する。第２吸着検出センサ４６−２は、複数の繰出ベルト２７のうちの第２端面に近い第２繰出ベルト４１−２に媒体が吸着したか否かを検出する。制御装置６３は、第２繰出ベルト４１−２に媒体が吸着したことを検出した場合で、第１繰出ベルト４１−１に媒体が吸着しないことを検出したときに、第１端面に吹き付けられる空気の風量が変更されるように、第１サイドブロア２６−１を制御する。その変更後の風量は、第１サイドブロア２６−１が第１端面に吹き付けた空気の変更前の風量より大きく、第２サイドブロア２６−２が第２端面に吹き付けた空気の風量より大きい。このような媒体搬送装置は、綴じ媒体５０を適切に複数の繰出ベルト２７に吸着させて繰り出すことができる。【００５９】
また、実施例１の媒体搬送装置の制御装置６３は、変更後の風量の空気が第１端面に吹き付けられた場合で、第１繰出ベルト４１−１に媒体が吸着しないことを検出したときに、第１サイドブロア２６−１の風量を変更後の風量より大きい風量に変更する。このような媒体搬送装置は、綴じ媒体５０を確実に複数の繰出ベルト２７に吸着させて繰り出すことができる。【００６０】
また、実施例１の媒体搬送装置の制御装置６３は、第１繰出ベルト４１−１に媒体が吸着し、第２繰出ベルト４１−２に媒体が吸着しないことを検出したときに、第２端面に吹き付けられる空気の風量を変更する。第２端面に吹き付けられる空気の変更後の風量は、第１サイドブロア２６−１が第１端面に吹き付けた空気の風量より大きく、第２サイドブロア２６−２が第２端面に吹き付けた空気の変更前の風量より大きい。このような媒体搬送装置は、綴じ媒体５０を綴じる綴じ部材が第２繰出ベルト４１−２の近傍に配置される場合でも、綴じ媒体５０を適切に複数の繰出ベルト２７に吸着させることができる。【００６１】
また、実施例１の媒体搬送装置は、媒体に接触することにより媒体を吸着する複数の吸着パッド３２と、複数の吸着パッド３２を移動させる吸着パッド駆動部３３とをさらに備えている。制御装置６３は、媒体が複数の吸着パッド３２に吸着されていないときに複数の吸着パッド３２が媒体に接触するように、および複数の吸着パッド３２に吸着されている媒体が複数の繰出ベルト２７に接触するように、吸着パッド駆動部３３を制御する。このような媒体搬送装置は、媒体を複数の繰出ベルト２７に適切に吸着させて繰り出すことができる。
【実施例２】
【００６２】
ところで、既述の実施例１の媒体搬送装置は、複数の吸着パッド３２を備えているが、複数の吸着パッド３２を省略してもよい。実施例２の媒体搬送装置は、図１５に示されているように、既述の実施例１の媒体搬送装置の第１給紙部１１が他の第１給紙部７１に置換され、他の部分は既述の実施例１の媒体搬送装置と同じである。図１５は、実施例２の媒体搬送装置の第１給紙部７１を示す斜視図である。第１給紙部７１は、既述の実施例１の媒体搬送装置の第１給紙部１１から複数の吸着パッド３２と吸着パッド駆動部３３と複数の吸着パッドブロア３４とが省略され、複数の繰出ベルト２７が他の複数の繰出ベルト７２に置換されている。【００６３】
図１６は、実施例２の媒体搬送装置の第１給紙部７１を示す断面図である。第１給紙部７１は、さらに、既述の実施例１の媒体搬送装置の第１給紙部１１の複数の定滑車３１が他の複数の定滑車７３に置換されている。複数の繰出ベルト７２は、それぞれ、移動可能に、複数の定滑車７３に架け渡されており、下側部分７５が形成されている。下側部分７５は、複数の繰出ベルト７２に囲まれる領域７６と、複数の繰出ベルト７２と原稿台２との間の空間とを隔てている。【００６４】
第１給紙部７１は、さらに、下側部分７５が、原稿台２の媒体が載置される載置面に沿う平面に平行な他の平面に沿うように形成されている。第１給紙部７１は、原稿台２を上昇させて、原稿台２に載置される媒体と下側部分７５とを十分に接近させることができる。第１給紙部７１は、媒体と下側部分７５とを十分に接近させることにより、原稿台２に載置される媒体を搬送ブロア３５の吸気により下側部分７５に吸着させることができる。このため、実施例２の媒体搬送装置は、既述の実施例１の媒体搬送装置と同様に、綴じ媒体５０を適切に複数の繰出ベルト７２に吸着させて繰り出すことができる。
【実施例３】
【００６５】
ところで、既述の実施例の媒体搬送装置の第１サイドブロア２６−１と第２サイドブロア２６−２とは、風量が変更されるように切り替えられるが、切り替えられなくてもよい。実施例３の媒体搬送装置は、既述の実施例１の原稿搬送装置と同様に形成されている。このとき、第１サイドブロア２６−１は、第３風量モードに固定され、第２サイドブロア２６−２は、第２風量モードに固定されている。ユーザは、実施例３の媒体搬送装置が設けられた画像読取装置を用いて綴じ媒体５０から画像を読み取ろうとするときに、綴じ部分８２が第１サイドブロア２６−１側となるように、複数の媒体を原稿台２に載置する。綴じ媒体５０は、既述の実施例の媒体搬送装置の場合と同様に、綴じ部分８２の側の端面に吹き付けられる空気の風量が、反対側の端面に吹き付けられる空気の風量より大きいことにより、実施例３の媒体搬送装置の複数の繰出ベルトに適切に吸着する。このため、実施例３の媒体搬送装置は、既述の実施例の媒体搬送装置と同様に、綴じ媒体５０を適切に複数の繰出ベルトに吸着させて繰り出すことができる。【００６６】
図１７は、実施例３の媒体搬送装置の第１サイドブロア２６−１と第２サイドブロア２６−２とにより両側の端面に空気が吹き付けられる複数の媒体９１を示す断面図である。実施例３の媒体搬送装置は、綴じられていない媒体から形成される複数の媒体９１が原稿台２に載置された場合でも、両側の端面に空気が吹き付けられることにより、複数の媒体９１の間の隙間に適切に空気が吹き込む。実施例３の媒体搬送装置は、複数の媒体９１の間の隙間に適切に空気が吹き込むことにより、複数の媒体９１を適切に分離することができる。このため、実施例３の媒体搬送装置は、複数の媒体９１のうちの一番上に配置される１つの媒体を複数の繰出ベルトに適切に吸着させて繰り出すことができる。【００６７】
ところで、既述の実施例の媒体搬送装置は、画像読取装置に利用されているが、他の装置に利用されてもよい。その装置としては、プリンタが例示される。たとえば、媒体搬送装置は、プリンタに利用されるときに、読取部１８が印刷装置に置換される。媒体搬送装置は、画像読取装置と異なる装置に利用された場合でも、複数の繰出ベルトを用いて綴じ媒体５０を適切に繰り出すことができる。【００６８】
以上、実施例を説明したが、前述した内容により実施例が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、実施例の要旨を逸脱しない範囲で構成要素の種々の省略、置換及び変更のうち少なくとも１つを行うことができる。
【符号の説明】
【００６９】
２      ：原稿台
１１    ：第１給紙部
２５    ：原稿台駆動部
２６−１：第１サイドブロア
２６−２：第２サイドブロア
２７    ：複数の繰出ベルト
３２    ：複数の吸着パッド
３３    ：吸着パッド駆動部
３４    ：複数の吸着パッドブロア
３５    ：搬送ブロア
４１−１：第１繰出ベルト
４１−２：第２繰出ベルト
４４−１：第１吸着パッド
４４−２：第２吸着パッド
４６−１：第１吸着検出センサ
４６−２：第２吸着検出センサ
６１    ：ベルト駆動部
６２    ：シャッタ駆動部
６３    ：制御装置
７１    ：第１給紙部
７２    ：複数の繰出ベルト
【図１】
2020059055.tif 000003
【図２】
2020059055.tif 000004
【図３】
2020059055.tif 000005
【図４】
2020059055.tif 000006
【図５】
2020059055.tif 000007
【図６】
2020059055.tif 000008
【図７】
2020059055.tif 000009
【図８】
2020059055.tif 000010
【図９】
2020059055.tif 000011
【図１０】
2020059055.tif 000012
【図１１】
2020059055.tif 000013
【図１２】
2020059055.tif 000014
【図１３】
2020059055.tif 000015
【図１４】
2020059055.tif 000016
【図１５】
2020059055.tif 000017
【図１６】
2020059055.tif 000018
【図１７】
2020059055.tif 000019
【国際調査報告】
2020059055.tif 000020
2020059055.tif 000021
2020059055.tif 000022
2020059055.tif 000023